(57)【要約】【課題】より正確に光レベル評価値を決定し、それに対応してハイレベル値が規制された送信データを送信する光通信装置を提案する。【解決手段】光レベル検出ユニットは、多重化され、複数個の光レベル検出回路を有し、これらの各光レベル検出回路のそれぞれが前記送信データのハイレベル値に対応した光レベル検出信号を出力するように構成され、光レベル指令ユニットは、前記複数個の光レベル検出回路のそれぞれから出力される複数個の光レベル検出信号の中の少なくとも１つの光レベル検出信号から、光レベル評価値を決定し、この光レベル評価値に対応して前記光レベル指令信号を発生する。【選択図】図１
2010177799.tif 000002
【特許請求の範囲】
【請求項１】
受信側の送信器ＴＸ２から送信側の受信器ＲＸ１へ光レベル指令データを送信し、送信側の送信器ＴＸ１から受信側の受信器ＲＸ２へ前記光レベル指令データに対応してハイレベル値が規定された光デジタル形式の送信データを送信する光通信装置であって、
前記受信器ＲＸ２に接続され前記送信データのハイレベル値に対応した光レベル検出信号を出力する光レベル検出ユニットと、前記送信器ＴＸ２に接続され前記光レベル検出信号に基づいて前記光レベル指令データを決定する光レベル指令信号を発生する光レベル指令ユニットを備え、
前記光レベル検出ユニットは、多重化され、複数個の光レベル検出回路を有し、これらの各光レベル検出回路のそれぞれが前記送信データのハイレベル値に対応した光レベル検出信号を出力するように構成され、
前記光レベル指令ユニットは、前記複数個の光レベル検出回路のそれぞれから出力される複数個の光レベル検出信号から、光レベル評価値を決定し、この光レベル評価値に対応して前記光レベル指令信号を発生することを特徴とする光通信装置。
【請求項２】
請求項１記載の光通信装置であって、前記光レベル指令ユニットは、前記複数個の光レベル検出回路のそれぞれから出力される複数個の光レベル検出信号のすべてを平均して、前記光レベル評価値を決定することを特徴とする光通信装置。
【請求項３】
受信側の送信器ＴＸ２から送信側の受信器ＲＸ１へ光レベル指令データを送信し、送信側の送信器ＴＸ１から受信側の受信器ＲＸ２へ前記光レベル指令データに対応してハイレベル値が規定された光デジタル形式の送信データを送信する光通信装置であって、
前記受信器ＲＸ２に接続され前記送信データのハイレベル値に対応した光レベル検出信号を出力する光レベル検出ユニットと、前記送信器ＴＸ２に接続され前記光レベル検出信号に基づいて前記光レベル指令データを決定する光レベル指令信号を発生する光レベル指令ユニットを備え、
前記光レベル検出ユニットは、多重化され、複数個の光レベル検出回路を有し、これらの各光レベル検出回路のそれぞれが前記送信データのハイレベル値に対応した光レベル検出信号を出力するように構成され、
前記光レベル指令ユニットは、前記複数個の光レベル検出回路のそれぞれから出力される複数個の光レベル検出信号の中で、上限閾値以上の光レベル検出信号、および下限閾値以下の光レベル検出信号を除いた少なくとも１つの光レベル検出信号から、光レベル評価値を決定し、この光レベル評価値に対応して前記光レベル指令信号を発生することを特徴とする光通信装置。
【請求項４】
請求項３記載の光通信装置であって、前記上限閾値を設定する上限閾値設定手段、および前記下限閾値を設定する下限閾値設定手段を備えたことを特徴とする光通信装置。
【請求項５】
請求項４記載の光通信装置であって、前記上限閾値設定手段および下限閾値設定手段が、ともにレジスタを用いて構成されたことを特徴とする光通信装置。
【請求項６】
請求項４記載の光通信装置であって、前記上限閾値設定手段および下限閾値設定手段が、ともにレファレンス電源とそれに接続された可変抵抗を用いて構成されたことを特徴とする光通信装置。
【請求項７】
受信側の送信器ＴＸ２から送信側の受信器ＲＸ１へ光レベル指令データを送信し、送信側の送信器ＴＸ１から受信側の受信器ＲＸ２へ前記光レベル指令データに対応してハイレベル値が規定された光デジタル形式の送信データを送信する光通信装置であって、
前記受信器ＲＸ２に接続され前記送信データのハイレベル値に対応した光レベル検出信号を出力する光レベル検出ユニットと、前記送信器ＴＸ２に接続され前記光レベル検出信号に基づいて前記光レベル指令データを決定する光レベル指令信号を発生する光レベル指令ユニットを備え、
前記光レベル検出ユニットは、多重化され、複数個の光レベル検出回路を有し、これらの各光レベル検出回路のそれぞれが前記送信データのハイレベル値に対応した光レベル検出信号を出力するように構成され、
前記光レベル指令ユニットは、前記複数個の光レベル検出回路のそれぞれから出力される複数個の光レベル検出信号の中で、最大の光レベル検出信号、および最小の光レベル検出信号を除いた少なくとも１つの光レベル検出信号から、光レベル評価値を決定し、この光レベル評価値に対応して前記光レベル指令信号を発生することを特徴とする光通信装置。
【請求項８】
請求項１、３、７のいずれか一項記載の光通信装置であって、アラーム装置を前記光レベル指令ユニットに接続し、前記光レベル評価値または前記光レベル指令信号が所定値以下であるときに、前記アラーム装置によりアラームを発生することを特徴とする光通信装置。
【請求項９】
請求項１、３、７のいずれか一項記載の光通信装置であって、前記送信データに対する最大光レベル規制値を設定する最大光レベル設定手段を前記光レベル指令ユニットに接続し、前記光レベル評価値または光レベル指令信号が前記最大光レベル規制値を超えるときに、前記光レベル指令信号を前記最大光レベル規制値に規制することを特徴とする光通信装置。
【発明の詳細な説明】
【技術分野】
【０００１】
この発明は、送信側が、受信側に適した光レベルで送信データを受信側に送信する光通信装置に関するものである。
【背景技術】
【０００２】
一般に光通信装置の送信器および受信器は、ある寿命を持った寿命品で構成されており、その寿命を延ばす上で、最も簡単には、過度の光レベルでの通信を行なわず、可能な限り光レベルを低くして通信を行なうことが考えられる。しかし、この構成では、経年劣化によって受信側の検出可能な光レベルが僅かに低下した場合でも、光通信が不可能となり、光送受信器の寿命が却って悪化する。
【０００３】
この問題を解決するために、特許文献１では、送信側からの光送信データを受信した受信側が、受信側に適した光レベル指令データを送信側に送信し、送信側では、この光レベル指令データに基づいて、送信データの光レベルを制御し、安定した光通信を実現するものが提案されている。
【先行技術文献】
【特許文献】
【０００４】
【特許文献１】特開平３―１０４４３４号公報
【発明の概要】
【発明が解決しようとする課題】
【０００５】
しかし、特許文献１では、送信データの光レベルを検出する光レベル検出ユニットにおける光レベル検出精度が問題となり、その光レベル検出精度が低い場合には、所望の光レベルで光通信を行なうことができない不都合が生じる。
【０００６】
この発明は、光レベル制御回路を改良し、長寿命化および高信頼性を実現することのできる光通信装置を提案するものである。
【課題を解決するための手段】
【０００７】
この発明の第１の観点による光通信装置は、受信側の送信器ＴＸ２から送信側の受信器ＲＸ１へ光レベル指令データを送信し、送信側の送信器ＴＸ１から受信側の受信器ＲＸ２へ前記光レベル指令データに対応してハイレベル値が規定された光デジタル形式の送信データを送信する光通信装置であって、前記受信器ＲＸ２に接続され前記送信データのハイレベル値に対応した光レベル検出信号を出力する光レベル検出ユニットと、前記送信器ＴＸ２に接続され前記光レベル検出信号に基づいて前記光レベル指令データを決定する光レベル指令信号を発生する光レベル指令ユニットを備え、前記光レベル検出ユニットは、多重化され、複数個の光レベル検出回路を有し、これらの各光レベル検出回路のそれぞれが前記送信データのハイレベル値に対応した光レベル検出信号を出力するように構成され、前記光レベル指令ユニットは、前記複数個の光レベル検出回路のそれぞれから出力される複数個の光レベル検出信号から、光レベル評価値を決定し、この光レベル評価値に対応して前記光レベル指令信号を発生することを特徴とする。
【０００８】
この発明の第２の観点による光通信装置は、受信側の送信器ＴＸ２から送信側の受信器ＲＸ１へ光レベル指令データを送信し、送信側の送信器ＴＸ１から受信側の受信器ＲＸ２へ前記光レベル指令データに対応してハイレベル値が規定された光デジタル形式の送信データを送信する光通信装置であって、前記受信器ＲＸ２に接続され前記送信データのハイレベル値に対応した光レベル検出信号を出力する光レベル検出ユニットと、前記送信器ＴＸ２に接続され前記光レベル検出信号に基づいて前記光レベル指令データを決定する光レベル指令信号を発生する光レベル指令ユニットを備え、前記光レベル検出ユニットは、多重化され、複数個の光レベル検出回路を有し、これらの各光レベル検出回路のそれぞれが前記送信データのハイレベル値に対応した光レベル検出信号を出力するように構成され、前記光レベル指令ユニットは、前記複数個の光レベル検出回路のそれぞれから出力される複数個の光レベル検出信号の中で、上限閾値以上の光レベル検出信号、および下限閾値以下の光レベル検出信号を除いた少なくとも１つの光レベル検出信号から、光レベル評価値を決定し、この光レベル評価値に対応して前記光レベル指令信号を発生することを特徴とする。
【０００９】
この発明の第３の観点による光通信装置は、受信側の送信器ＴＸ２から送信側の受信器ＲＸ１へ光レベル指令データを送信し、送信側の送信器ＴＸ１から受信側の受信器ＲＸ２へ前記光レベル指令データに対応してハイレベル値が規定された光デジタル形式の送信データを送信する光通信装置であって、前記受信器ＲＸ２に接続され前記送信データのハイレベル値に対応した光レベル検出信号を出力する光レベル検出ユニットと、前記送信器ＴＸ２に接続され前記光レベル検出信号に基づいて前記光レベル指令データを決定する光レベル指令信号を発生する光レベル指令ユニットを備え、前記光レベル検出ユニットは、多重化され、複数個の光レベル検出回路を有し、これらの各光レベル検出回路のそれぞれが前記送信データのハイレベル値に対応した光レベル検出信号を出力するように構成され、前記光レベル指令ユニットは、前記複数個の光レベル検出回路のそれぞれから出力される複数個の光レベル検出信号の中で、最大の光レベル検出信号、および最小の光レベル検出信号を除いた少なくとも１つの光レベル検出信号から、光レベル評価値を決定し、この光レベル評価値に対応して前記光レベル指令信号を発生することを特徴とする。
【発明の効果】
【００１０】
この発明の第１、第２、第３の観点による光通信装置では、光レベル検出ユニットが多重化され、光レベル指令ユニットが、より正確な光レベル評価値を決定するので、より的確な光レベルで送信データを送信することができ、結果として、光送受信器を長寿命化し、より長期間に亘り使用することができる効果が得られる。
【図面の簡単な説明】
【００１１】
【図１】この発明による光通信装置の実施の形態１の全体を示すブロック図である。
【図２】実施の形態１における光レベル検出ユニットの具体例を示すブロック図である。
【図３】受信データの一例を示す波形図である。
【図４】この発明による光通信装置の実施の形態２の全体を示すブロック図である。
【図５】実施の形態２における光レベル検出信号の説明図である。
【図６】この発明による光通信装置の実施の形態３の全体を示すブロック図である。
【図７】この発明による光通信装置の実施の形態４における光レベル検出信号の説明図である。
【図８】この発明による光通信装置の実施の形態５の全体を示すブロック図である。
【図９】この発明による光通信装置の実施の形態６の全体を示すブロック図である。
【発明を実施するための最良の形態】
【００１２】
以下この発明のいくつかの実施の形態について、図面を参照して説明する。
【００１３】
実施の形態１．
図１は、この発明による光通信装置の実施の形態１の全体を示すブロック図である。図１において、実施の形態１の光通信装置は、光送受信器１０と、光レベル制御回路２０を備えている。光送受信器１０は、送信側ブロック１１と、受信側ブロック１２を含んでいる。
【００１４】
送信側ブロック１１は、送信器ＴＸ１と受信器ＲＸ１を有する。受信側ブロック１２は、受信器ＲＸ２と送信器ＴＸ２を有する。送信器ＴＸ１は、光ケーブル１３を通じて受信器ＲＸ２と接続され、光ケーブル１３を通じて、光デジタル形式の送信データＯＴＤを受信器ＲＸ２に送信する。受信器ＲＸ２は、送信データＯＴＤを受信し、それを電気デジタル形式の受信データＥＲＤに変換して出力する。この受信データＥＲＤは、受信器ＲＸ２内の図示しないデータ処理回路に供給され、このデータ処理回路より処理されるとともに、光レベル制御回路２０にも供給される。
【００１５】
送信器ＴＸ２は、光レベル制御回路２０から電気デジタル形式の光レベル指令信号ＥＬＳを受ける。送信器ＴＸ２は、光ケーブル１４を通じて受信器ＲＸ１に接続されており、光レベル指令信号ＥＬＳを光デジタル形式の光レベル指令データＯＬＤに変換し、光ケーブル１４を通じて、光レベル指令データＯＬＤを受信器ＲＸ１に送信する。受信器ＲＸ１は、光レベル指令データＯＬＤを受信し、それを電気信号に変換して、光レベル指令信号ＥＬＳを再生する。この再生された光レベル指令信号ＥＬＳは送信器ＴＸ１に供給される。送信器ＴＸ１は、光レベル指令信号ＥＬＳに基づいて、それに対応した光レベルで送信データＯＴＤを送信する。送信器ＴＸ１は、具体的には、送信データＯＴＤのハイレベル値を光レベル指令信号ＥＬＳに対応して決定し、そのハイレベル値で送信データＯＴＤを送信する。
【００１６】
光レベル制御回路２０は、電気回路であって、光レベル検出ユニット３０と、光レベル指令ユニット４０と、選択スイッチ回路５０を有する。光レベル検出ユニット３０は、受信器１２から受信データＥＲＤを受けて、光レベル検出信号ＬＤを出力する。光レベル検出ユニット３０は、ｎ（ｎは２以上の正の整数）個の光レベル検出回路３０−１、３０−２、・・・、３０―ｎを有し、ｎ多重化されている。ｎ個の光レベル検出回路３０−１、３０−２、・・・、３０―ｎは、それぞれ受信器ＲＸ２に電気接続されており、受信器ＲＸ２から受信データＥＲＤを受けて、この受信データＥＲＤのハイレベル値に対応した信号レベルを持った光レベル検出信号ＬＤ１、ＬＤ２、・・・、ＬＤｎを出力する。これらの光レベル検出信号ＬＤ１、ＬＤ２、・・・、ＬＤｎは、受信データＥＲＤのハイレベル値に対応する電気デジタル形式の信号であり、光レベル検出信号ＬＤはこれらの総称である。
【００１７】
選択スイッチ回路５０は、ｎ個の選択スイッチ５０−１、５０−２、・・・、５０―ｎを有する。選択スイッチ５０−１、５０−２、・・・、５０―ｎは、それぞれ光レベル検出回路３０−１、３０−２、・・・、３０―ｎと光レベル指令ユニット４０との間に接続される。選択スイッチ５０−１は、それがオンされたときに、光レベル検出回路３０−１から出力される光レベル検出信号ＬＤ１を光レベル指令ユニット４０に供給する。同様に、選択スイッチ５０―２、・・・、５０―ｎは、それぞれがオンしたときに、光レベル検出回路３０−２、・・・、３０―ｎから出力される光レベル検出信号ＬＤ２、・・・、ＬＤｎを光レベル指令ユニット４０に供給する。
【００１８】
光レベル指令ユニット４０は、送信器ＴＸ２に電気接続されている。この光レベル指令ユニット４０は、例えばマイクロコンピュータで構成され、選択スイッチ回路５０から供給された光レベル検出信号ＬＤ１、ＬＤ２、・・・、ＬＤｎから光レベル評価値ＬＤｅｖを決定する。具体的には、実施の形態１では、ｎ個のすべての光レベル検出信号ＬＤ１、ＬＤ２、・・・、ＬＤｎの信号レベルを平均して、光レベル評価値ＬＤｅｖを演算する。光レベル指令ユニット４０は、光レベル評価値ＬＤｅｖに対応する光レベル指令信号ＥＬＳを発生し、この光レベル指令信号ＥＬＳを送信器ＴＸ２に供給する。光レベル指令信号ＥＬＳは、電気デジタル形式の信号である。
【００１９】
光レベル検出ユニット３０は、具体的には図２に示すように構成される。光レベル検出ユニット３０は、図２に示すように、オペアンプ３１と、これに接続されたｎ個のＡ／Ｄ変換器３２−１、３２−２、・・・、３２―ｎを有し、これらのＡ／Ｄ変換器３２−１、３２−２、・・・、３２―ｎのそれぞれが光レベル検出回路３０−１、３０−２、・・・、３０―ｎを構成する。
【００２０】
オペアンプ３１は、受信データＥＲＤを増幅し、Ａ／Ｄ変換器３２−１、３２−２、・・・、３２―ｎに供給する。Ａ／Ｄ変換器３２−１、３２−２、・・・、３２―ｎは、上位コントローラから変換指令信号ＩＳ１、ＩＳ２、・・・、ＩＳｎの供給を受け、これらの変換指令信号ＩＳ１、ＩＳ２、・・・、ＩＳｎに基づき、オペアンプ３１のアナログ出力値をデジタル変換する。
【００２１】
図３は、受信データＥＲＤの一例を示す波形図である。受信データＥＲＤは、デジタルデータ成分ＤＴと、その末尾に追加されたエンドオブビット成分ＥＢと、このエンドオブビット成分に続くハイレベル成分ＨＬを含む。Ａ／Ｄ変換器３２−１、３２−２、・・・、３２―ｎは、受信データＥＲＤに含まれたハイレベル成分ＨＬから、共通タイミング変換動作、またはずらしタイミング変換動作により、光レベル検出信号ＬＤ１、ＬＤ２、・・・、ＬＤｎを発生する。図３（ａ）には、ハイレベル成分ＨＬの期間中に、共通タイミング変換動作のための１つの共通タイミングｔが図示される。図３（ｂ）には、ハイレベル成分ＨＬの期間中に、ずらしタイミング変換動作のためのｎ個の互いにずれたタイミングｔ１、ｔ２、・・・、ｔｎが図示される。
【００２２】
共通タイミング変換動作が採用される場合、Ａ／Ｄ変換器３２−１、３２−２、・・・、３２―ｎは、図３（ａ）の共通タイミングｔにおいて、オペアンプ３１のアナログ出力値をデジタル変換する。この共通タイミングｔにおいて、各Ａ／Ｄ変換器３２−１、３２−２、・・・、３２―ｎに同時に指令信号ＩＳ１、ＩＳ２、・・・、ＩＳｎが供給され、この共通タイミングｔにおけるハイレベル成分ＨＬのハイレベル値を増幅したオペアンプ３１のアナログ出力値が、すべてのＡ／Ｄ変換器３２−１、３２−２、・・・、３２―ｎで同時にデジタル値に変換され、光レベル検出信号ＬＤ１、ＬＤ２、・・・、ＬＤｎとして出力される。光レベル検出信号ＬＤ１、ＬＤ２、・・・、ＬＤｎは、電気形式のデジタル信号であり、各Ａ／Ｄ変換器３２−１、３２−２、・・・、３２−ｎは、この光レベル検出信号ＬＤ１、ＬＤ２、・・・、ＬＤｎを、次の共通タイミングｔで次に光レベル検出信号ＬＤ１、ＬＤ２、・・・、ＬＤｎが出力されるまでホールドする。このホールドされた光レベル検出信号ＬＤ１、ＬＤ２、・・・、ＬＤｎは、選択スイッチ５０−１、５０−２、・・・、５０−ｎを順次オンとすることにより、光レベル指令ユニット４０に入力される。
【００２３】
ずらしタイミング変換動作が採用される場合、Ａ／Ｄ変換器３２−１、３２−２、・・・、３２―ｎは、図３（ｂ）のタイミングｔ１、ｔ２、・・・、ｔｎのそれぞれにおいて、オペアンプ３１のアナログ出力値をデジタル変換する。これらの各タイミングｔ１、ｔ２、・・・、ｔｎにおいて、各Ａ／Ｄ変換器３２−１、３２−２、・・・、３２―ｎに変換指令信号ＩＳ１、ＩＳ２、・・・、ＩＳｎが供給され、タイミングｔ１、ｔ２、・・・、ｔｎにおけるハイレベル成分ＨＬのハイレベル値を増幅したオペアンプ３１のアナログ出力値が、Ａ／Ｄ変換器３２−１、３２−２、・・・、３２―ｎでそれぞれデジタル値に変換され、光レベル検出信号ＬＤ１、ＬＤ２、・・・、ＬＤｎとして出力される。
【００２４】
受信データＥＲＤのハイレベル値は、受信側の受信器ＲＸ２の性能劣化に伴ない経時的に低下するが、この受信データＥＲＤのハイレベル値の低下に伴なって、光レベル検出信号ＬＤ１、ＬＤ２、・・・、ＬＤｎの信号レベルも低下する。光レベル評価値ＬＤｅｖは、光レベル検出信号ＬＤ１、ＬＤ２、・・・、ＬＤｎを平均して演算され、受信データＥＲＤのハイレベル値の低下に伴なって、光レベル評価値ＬＤｅｖ、およびそれに対応する光レベル指令信号ＥＬＳも低下する。送信側の送信器ＴＸ１は、この光レベル指令信号ＥＬＳの低下に伴ない、受信側に最適のハイレベル値を決定し、このハイレベル値で送信データＯＴＤを送信する。
【００２５】
光レベル評価値ＬＤｅｖは、光レベル検出信号ＬＤ１、ＬＤ２、・・・、ＬＤｎから、より正確に演算される。共通タイミング変換動作では、共通タイミングｔにおけるハイレベル値が、同時に各Ａ／Ｄ変換器３２−１、３２−２、・・・、３２―ｎでデジタル変換されるが、各Ａ／Ｄ変換器３２−１、３２−２、・・・、３２―ｎの特性バラツキのために、各光レベル検出信号ＬＤ１、ＬＤ２、・・・、ＬＤｎの信号レベルにバラツキが生じる。ずらしタイミング変換動作では、タイミングｔ１、ｔ２、・・・、ｔｎにおけるハイレベル値がデジタル変換されるが、ノイズの影響で各タイミングｔ１、ｔ２、・・・、ｔｎにおけるハイレベル値にバラツキが生じ、さらに各Ａ／Ｄ変換器３２−１、３２−２、・・・、３２―ｎの特性バラツキのために、各光レベル検出信号ＬＤ１、ＬＤ２、・・・、ＬＤｎの信号レベルにバラツキが生じる。光レベル検出信号ＬＤ１、ＬＤ２、・・・、ＬＤｎから、それらを平均して演算された光レベル評価値ＬＤｅｖでは、これらの光レベル検出信号ＬＤ１、ＬＤ２、・・・、ＬＤｎにおける信号レベルのバラツキが平均化され、より正確な光レベル評価値ＬＤｅｖを得ることができる。
【００２６】
実施の形態１では、ｎ個のすべての光レベル検出信号ＬＤ１、ＬＤ２、・・・、ＬＤｎから、光レベル評価値ＬＤｅｖを決定している。光レベル指令ユニット４０は、これらの光レベル検出信号から、光レベル評価値ＬＤｅｖを決定し、この光レベル評価値ＬＤｅｖに対応して光レベル指令信号ＥＬＳを発生するを発生するので、光レベル検出ユニット３０が、単に１つの光レベル検出回路で構成されるものに比べて、より正確な光レベル評価値ＬＤｅｖを得ることができ、それに対応してより的確な光レベルで送信データを送信することができ、結果として、光送受信器１０を長寿命化し、より長期間に亘り使用することができる効果が得られる。
【００２７】
実施の形態２．
図４は、この発明による光通信装置の実施の形態２の全体を示すブロック図である。この実施の形態２では、実施の形態１における光レベル制御回路２０に代わって、光レベル制御回路２０Ａが使用される。その他は、実施の形態１と同じに構成される。この実施の形態２で使用される光レベル制御回路２０Ａにおける光レベル検出ユニット３０も、具体的には、図２に示すように構成される。
【００２８】
実施の形態２における光レベル制御回路２０Ａは、実施の形態１における光レベル制御回路２０に対して、コンパレータ６０と、上限閾値設定手段６１と、下限閾値設定手段６２を追加したものである。コンパレータ６０は、３つの入力端子ａ、ｂ、ｃと、１つの出力端子ｄを有する。ｎ個の光レベル検出回路３０−１、３０−２、・・・、３０―ｎからの光レベル検出信号ＬＤ１、ＬＤ２、・・・、ＬＤｎは、それぞれ選択スイッチ回路５０の各選択スイッチ５０−１、５０−２、・・・、５０―ｎを通じて、コンパレータ６０の入力端子ａに供給される。上限閾値設定手段６１は、この実施の形態２では、上限閾値設定レジスタ６１ａにより構成され、各光レベル検出信号ＬＤ１、ＬＤ２、・・・、ＬＤｎに対する上限閾値ＵＬをコンパレータ６０の入力端子ｂに供給する。下限閾値設定手段６２は、この実施の形態２では、下限閾値設定レジスタ６２ａにより構成され、各光レベル検出信号ＬＤ１、ＬＤ２、・・・、ＬＤｎに対する下限閾値ＬＬをコンパレータ６０の入力端子ｃに供給する。上限閾値ＵＬおよび下限閾値ＬＬは、光送受信器１０が正常に動作する状態において、想定される最大および最小の光レベル検出信号に対応して設定される。言い換えれば、上限閾値ＵＬおよび下限閾値ＬＬは、光レベル検出信号ＬＤ１、ＬＤ２、・・・、ＬＤｎが、それぞれＡ／Ｄ変換器３２−１、３２−２、・・・、３２―ｎの特性バラツキおよびノイズの影響で異常値となれば、上限閾値ＵＬ以上のレベルとなり、また下限閾値ＬＬ以下のレベルとなるように、設定される。
【００２９】
この実施の形態２では、上限閾値ＵＬおよび下限閾値ＬＬは電気デジタル形式の信号であり、コンパレータ６０へ供給される。コンパレータ６０は、光レベル検出信号ＬＤ１、ＬＤ２、・・・、ＬＤｎのそれぞれを上限閾値ＵＬおよび下限閾値ＬＬと比較し、上限閾値ＵＬと下限閾値ＬＬとの間の信号レベルを持ったｍ個の光レベル検出信号ＬＤを抽出し、この上限閾値ＵＬと下限閾値ＬＬとの間のｍ個の信号レベルを持った光レベル検出信号ＬＤから、光レベル指令ユニット４０が光レベル評価値ＬＤｅｖを決定する。
【００３０】
ｎ個の光レベル検出信号ＬＤ１、ＬＤ２、・・・、ＬＤｎのすべてが、上限閾値ＵＬと下限閾値ＬＬの間の信号レベルを持つ場合には、ｍ＝ｎとなり、ｎ個のすべての光レベル検出信号ＬＤ１、ＬＤ２、・・・、ＬＤｎがコンパレータ６０から光レベル指令ユニット４０に供給される。この場合、光レベル指令ユニット４０は、ｎ個のすべての光レベル検出信号ＬＤ１、ＬＤ２、・・・、ＬＤｎの信号レベルを平均して光レベル評価値ＬＤｅｖを演算する。ｎ個の光レベル検出信号ＬＤ１、ＬＤ２、・・・、ＬＤｎの中に、上限閾値ＵＬ以上か、または下限閾値ＬＬ以下の信号レベルを持った光レベル検出信号が、１個含まれておれば、それを除くｍ＝ｎ−１個の光レベル検出信号の信号レベルを平均して光レベル評価値ＬＤｅｖが演算される。同様に、ｎ個の光レベル検出信号ＬＤ１、ＬＤ２、・・・、ＬＤｎの中に、上限閾値ＵＬ以上か、または下限閾値ＬＬ以下の信号レベルを持った光レベル検出信号が、２個含まれておれば、それらを除くｍ＝ｎ−２個の光レベル検出信号から、光レベル評価値ＬＤｅｖが決定される。
【００３１】
図５は、実施の形態２におけるｎ個の光レベル検出信号ＬＤ１、ＬＤ２、・・・、ＬＤｎと上限閾値ＵＬ、下限閾値ＬＬとの関係を例示する説明図である。図５の縦軸は光レベルであり、その横軸は光レベル検出回路３０−１、３０−２、・・・、３０―ｎを示す。この図５の説明図は、光レベル検出信号ＬＤ２の信号レベルが下限閾値ＬＬ以下であり、また、光レベル検出信号ＬＤｎ−１の信号レベルが上限閾値ＵＬ以上である場合を例示する。この場合には、光レベル検出信号ＬＤ２、ＬＤｎ−１がコンパレータ６０で除去され、それ以外のｎ−２個の光レベル検出信号ＬＤ１、ＬＤ３・・・、ＬＤｎ−２、ＬＤｎがコンパレータ６０を通過して光レベル指令ユニット４０に入力される。光レベル指令ユニット４０は、これらのｎ−２個の光レベル検出信号ＬＤ１、ＬＤ３、・・・、ＬＤｎ−２、ＬＤｎの信号レベルを平均して、光レベル評価値ＬＤｅｖを演算する。
【００３２】
この実施の形態２では、実施の形態１と同様に、光レベル検出ユニット３０が、単に１つの光レベル検出回路で構成されるものに比べて、より正確な光レベル評価値ＬＤｅｖを得ることができ、それに対応してより的確な光レベルで送信データを送信することができ、結果として、光送受信器１０を長寿命化し、より長期間に亘り使用することができる効果が得られるのに加え、上限閾値ＵＬおよび下限閾値ＬＬにより、異常な光レベル検出信号を除外して、さらに正確な光レベル評価値ＬＤｅｖを得ることができる。
【００３３】
なお、実施の形態２において、コンパレータ６０を省略することも可能である。この場合、上限閾値設定手段６１からの上限閾値ＵＬと、下限閾値設定手段６２からの下限閾値ＬＬは、複数個の光レベル検出回路３０―１、３０―２、・・・、３０―ｎのそれぞれから出力される複数個の光レベル検出信号ＬＤ１、ＬＤ２、・・・、ＬＤｎともに光レベル指令ユニット４０へ直接供給される。光レベル指令ユニット４０は、実施の形態２と同様に、複数個の光レベル検出信号ＬＤ１、ＬＤ２、・・・、ＬＤｎの中で、上限閾値ＵＬ以上の光レベル検出信号および下限閾値ＬＬ以下の光レベル検出信号があれば、それを除去し、その他の少なくとも１つの光レベル検出信号から、光レベル評価値ＬＤｅｖを決定する。
【００３４】
実施の形態３．
図６は、この発明による光通信装置の実施の形態３の全体を示すブロック図である。この実施の形態３では、実施の形態２における光レベル制御回路２０Ａに代わって、光レベル制御回路２０Ｂが使用される。その他は、実施の形態２と同じに構成される。この実施の形態３で使用される光レベル制御回路２０Ｂにおける光レベル検出ユニット３０も、具体的には、図２に示すように構成される。
【００３５】
実施の形態３で使用される光レベル制御回路２０Ｂでは、上限閾値設定手段６１が、上限用リファレンス電源６１ｂと、可変抵抗６１ｃと、固定抵抗６１ｄにより構成され、また、下限閾値設定手段６２が、下限用リファレンス電源６２ｂと、可変抵抗６２ｃと、固定抵抗６２ｄにより構成される。上限用リファレンス電源６１ｂおよび下限用レファレンス電源６２ｂは、それぞれ直流電源である。可変抵抗６１ｃと固定抵抗６１ｄは、上限用リファレンス電源６１ｂに直列に接続され、それらの相互接続点に上限閾値ＵＬを発生する。可変抵抗６２ｃと固定抵抗６２ｄは、下限用リファレンス電源６２ｂに直列に接続され、それらの相互接続点に下限閾値ＬＬを発生する。この実施の形態３では、上限閾値ＵＬおよび下限閾値ＬＬは、電気アナログ形式の信号であり、コンパレータ６０は、これを電気デジタル形式の信号に変換した上で、光レベル検出信号ＬＤ１、ＬＤ２、・・・、ＬＤｎと比較する。なお、その他は、光レベル制御回路２０Ｂは、実施の形態２の光レベル制御回路２０Ａと同じに構成される。
【００３６】
実施の形態２のように、上限閾値設定レジスタ６１ａおよび下限閾値設定レジスタ６２ａにより上限閾値設定手段６１および下限閾値設定手段６２を構成したものでは、上限閾値ＵＬおよび下限閾値ＬＬを変更する際に、実装部品を変更する必要があり、このときには、ピン間隔を含むピン配列が同一の部品を用意する必要があり、実際上それらの変更が困難となる場合がある。実施の形態３では、上限閾値設定手段６１が、上限用リファレンス電源６１ｂと、可変抵抗６１ｃと、固定抵抗６１ｄにより構成され、また、下限閾値設定手段６２が、下限用リファレンス電源６２ｂと、可変抵抗６２ｃと、固定抵抗６２ｄにより構成されるので、可変抵抗６１ｃ、６２ｃを調整することにより、上限閾値ＵＬおよび下限閾値ＬＬを簡単に変更することができる。
【００３７】
なお、可変抵抗６１ｃ、６２ｃに可変電位端子を設け、この可変電位端子から上限閾値ＵＬおよび下限閾値ＬＬをコンパレータ６０の入力端子ｂ、ｃに供給することも可能であり、この場合には、固定抵抗６１ｄ、６２ｄを削除することもできる。
【００３８】
なお、この実施の形態３においても、コンパレータ６０を除去することができる。この場合、上限閾値設定手段６１からの上限閾値ＵＬと、下限閾値設定手段６２からの下限閾値ＬＬは、光レベル指令ユニット４０に直接供給され、この光レベル指令ユニット４０で電気デジタル形式の信号に変換された上で、複数個の光レベル検出回路３０―１、３０―２、・・・、３０―ｎのそれぞれから出力される複数個の光レベル検出信号ＬＤ１、ＬＤ２、・・・、ＬＤｎと比較される。光レベル指令ユニット４０は、実施の形態２と同様に、複数個の光レベル検出信号ＬＤ１、ＬＤ２、・・・、ＬＤｎの中で、上限閾値ＵＬ以上の光レベル検出信号および下限閾値ＬＬ以下の光レベル検出信号があれば、それを除去し、その他の少なくとも１つの光レベル検出信号から、光レベル評価値ＬＤｅｖを決定する。
【００３９】
実施の形態４．
この発明による光通信装置の実施の形態４は、図１と同様に、光送受信器１０と光レベル制御回路２０を備え、光レベル制御回路２０は、光レベル検出ユニット３０と、光レベル指令ユニット４０と、選択スイッチ回路５０により構成されるが、光レベル指令ユニット４０が、ｎ個の光レベル検出信号ＬＤ１、ＬＤ２、・・・、ＬＤｎの中で、最大の光レベル検出信号と、最小の光レベル検出信号を除去する動作を行ない、これらの最大の光レベル検出信号と、最小の光レベル検出信号を除く、その他のｎ−２個の光レベル検出信号から、光レベル評価値ＬＤｅｖを決定する。
【００４０】
この実施の形態４では、光レベル検出回路３０−１、３０−２、・・・、３０―ｎの個数ｎは、３以上の正の整数とされる。ｎが３とされた場合には、最大の光レベル検出信号と、最小の光レベル検出信号を除く、その他のｍ＝１個の光レベル検出信号から、光レベル評価値ＬＤｅｖを決定する。ｎが４以上とされた場合には、最大の光レベル検出信号と、最小の光レベル検出信号を除く、その他のｍ＝２個以上の光レベル検出信号から、光レベル評価値ＬＤｅｖを決定する。
【００４１】
図７は、実施の形態４におけるｎ個の光レベル検出信号ＬＤ１、ＬＤ２、・・・、ＬＤｎを例示する説明図である。図７の縦軸は光レベルであり、その横軸は光レベル検出回路３０−１、３０−２、・・・、３０―ｎを示す。この図７の説明図は、ｎ個の光レベル検出信号ＬＤ１、ＬＤ２、・・・、ＬＤｎの中で、光レベル検出信号ＬＤ２の信号レベルが最小であり、また、光レベル検出信号ＬＤｎ−１の信号レベルが最大である場合を例示する。この場合には、光レベル検出信号ＬＤ２、ＬＤｎ−１が光レベル指令ユニット４０で除去され、それ以外のｍ＝ｎ−２個の光レベル検出信号ＬＤ１、ＬＤ３、・・・、ＬＤｎ−２、ＬＤｎを平均して、光レベル評価値ＬＤｅｖを演算する。
【００４２】
この実施の形態４では、実施の形態１と同様に、光レベル検出ユニット３０が、単に１つの光レベル検出回路で構成されるものに比べて、より正確な光レベル評価値を得ることができ、それに対応してより的確な光レベルで送信データを送信することができ、結果として、光送受信器１０を長寿命化し、より長期間に亘り使用することができる効果が得られるのに加え、ｎ個の光レベル検出信号の中で、最大及び最小の光レベル検出信号を除去したｎ−２個の光レベル検出信号から、光レベル評価値ＬＤｅｖが決定されるので、さらに正確な光レベル評価値ＬＤｅｖを得ることができる。
【００４３】
実施の形態５．
図８は、この発明による光通信装置の実施の形態５の全体を示すブロック図である。この実施の形態５では、実施の形態１における光レベル制御回路２０に代わって、光レベル制御回路２０Ｃが使用される。その他は、実施の形態１と同じに構成される。この実施の形態５で使用される光レベル制御回路２０Ｃにおける光レベル検出ユニット３０も、具体的には、図２に示すように構成される。
【００４４】
実施の形態５で使用される光レベル制御回路２０Ｃは、実施の形態１における光レベル制御回路２０に故障レベル設定手段７０と、アラーム手段７１を追加したものである。これらの故障レベル設定手段７０と、アラーム手段７１は、ともに光レベル指令ユニット４０に接続される。故障レベル設定手段７０は、例えば故障レベル設定レジスタ７０ａで構成され、この場合には、電気デジタル形式の故障レベルＦＬを発生する。しかし、実施の形態３における上限閾値設定手段６１および下限閾値設定手段６２と同様に、レファレンス電源に可変抵抗を接続して構成することもできる。この場合には、故障レベルＦＬは、電気アナログ形式の信号となるが、光レベル指令ユニット４０で電気デジタル形式の信号に変換される。
【００４５】
故障レベル設定手段７０は、受信側ブロック１１の受信器ＲＸ２の経年劣化に対応し、この受信器ＲＸ２が故障した状態に対応する信号レベルを持った故障レベルＦＬを光レベル指令ユニット４０に供給する。光レベル指令ユニット４０は、光レベル評価値ＬＤｅｖまたは光レベル指令信号ＥＬＳをこの故障レベルＦＬと比較し、光レベル評価値ＬＤｅｖまたは光レベル指令信号ＥＬＳが故障レベルＦＬより小さいときに、アラーム手段７１を駆動し、ユーザーに故障を知らせる。
【００４６】
この実施の形態５によれば、受信器ＲＸ２の故障をユーザーの報知することができる。
なお、故障レベル設定手段７０とアラーム手段７１は、実施の形態１における光レベル制御回路２０だけでなく、実施の形態２、３、４の光レベル制御回路２０Ａ、２０Ｂ、２０にも追加することができる。
【００４７】
実施の形態６．
図９は、この発明による光通信装置の実施の形態６の全体を示すブロック図である。この実施の形態６では、実施の形態１における光レベル制御回路２０に代わって、光レベル制御回路２０Ｄが使用される。その他は、実施の形態１と同じに構成される。この実施の形態６で使用される光レベル制御回路２０Ｄにおける光レベル検出ユニット３０も、具体的には、図２に示すように構成される。
【００４８】
実施の形態６で使用される光レベル制御回路２０Ｄは、実施の形態１における光レベル制御回路２０に最大光レベル設定手段８０を追加したものである。この最大光レベル設定手段８０は、光レベル指令ユニット４０に接続される。最大光レベル設定手段８０は、例えば最大光レベル設定レジスタ８０ａで構成され、この場合には、電気デジタル形式の最大光レベル規制値ＭＬを発生する。しかし、実施の形態３における上限閾値設定手段６１および下限閾値設定手段６２と同様に、レファレンス電源に可変抵抗を接続して構成することもできる。この場合には、最大光レベル規制値ＭＬは電気アナログ形式の信号となるが、光レベル指令ユニット４０で電気デジタル形式の信号に変換される。
【００４９】
最大光レベル設定手段８０は、送信データＯＴＤに対する最大光レベル規制値ＭＬを光レベル指令ユニット４０に供給する。光レベル指令ユニット４０は、光レベル評価値ＬＤｅｖまたは光レベル指令信号ＥＬＳをこの最大光レベル規制値ＭＬと比較し、光レベル評価値ＬＤｅｖまたは光レベル指令信号ＥＬＳが最大光レベル規制値ＭＬより大きいときには、光レベル指令信号ＥＬＳを最大光レベル規制値ＭＬに規制し、送信データＯＴＤのハイレベル値を最大光レベル規制値ＭＬに抑制する。
【００５０】
この実施の形態６によれば、送信データＯＴＤを最大光レベル規制値ＭＬ以下に抑制し、光通信装置の光送受信器１０を、さらに長寿命化することができる。
なお、最大光レベル設定手段８０は、実施の形態１だけでなく、実施の形態２、３、４、５にも追加することができる。
【産業上の利用可能性】
【００５１】
この発明による光通信装置は、送信側から受信側へ光送信データを送信する各種の光通信装置に利用することができる。
【符号の説明】
【００５２】
１０：光送受信器、１１：送信側ブロック、１２：受信側ブロック、
ＴＸ１、ＴＸ２：送信器、ＲＸ１、ＲＸ２：受信器、２０：光レベル制御回路、
３０：光レベル検出ユニット、
３０−１、３０−２、・・・、３０−ｎ：光レベル検出回路、
３２−１、３２−２、・・・、３２−ｎ：Ａ／Ｄ変換器、
４０：光レベル指令ユニット、５０：選択スイッチ回路、
５０−１、５０−２、・・・、５０−ｎ：選択スイッチ、
６０：コンパレータ、６１：上限閾値設定手段、６２：下限閾値設定手段、
７０：故障レベル設定手段、７１：アラーム手段、８０：最大光レベル設定手段。
【図１】
2010177799.tif 000003
【図２】
2010177799.tif 000004
【図３】
2010177799.tif 000005
【図４】
2010177799.tif 000006
【図５】
2010177799.tif 000007
【図６】
2010177799.tif 000008
【図７】
2010177799.tif 000009
【図８】
2010177799.tif 000010
【図９】
2010177799.tif 000011